(57)【要約】    【課題】  容器内への水分及び湿気の浸入を防止すると共に、厳しい環境下でも溶接ワイヤを長期間保管することができる溶接ワイヤ収納容器及び容器入り溶接ワイヤを提供する。    【解決手段】  内面に紙基材上に非透湿性樹脂又は難透湿性樹脂により樹脂層９が形成された紙製の有底筒状の外筒１の内部に、非透湿性樹脂又は難透湿性樹脂により樹脂層９が形成された紙製の内筒６が、外筒１と同軸的に配置されている容器の底板４上に、溶接ワイヤ１０ａを下方から上方に向かって円軌道に沿って中心軸を移動変位させながら積層する。その後、溶接ワイヤコイル１０の残量を確認するための複数の開口部２ａが設けられた押さえ板２を、溶接ワイヤコイル１０の上に載置する。そして、押さえ板２上に、少なくとも開口部２ａを覆うように防湿シート８を載置して容器入り溶接ワイヤにする。【選択図】    図１
2005247455.tif 000002
【特許請求の範囲】
【請求項１】
溶接ワイヤのコイルを収納する有底筒状の溶接ワイヤ収納容器において、内面に非透湿性樹脂又は難透湿性樹脂からなる樹脂層が設けられた紙製の外筒と、前記溶接ワイヤコイル上に載置された環状の押さえ板と、を有し、前記押さえ板には、前記溶接ワイヤコイルの残量を確認するための複数の開口部が設けられており、少なくとも前記開口部を覆うように防湿シートが載置されていることを特徴とする溶接ワイヤ収納容器。
【請求項２】
前記外筒の内部に前記外筒と同軸的に配置された紙製の内筒を有することを特徴とする請求項１に記載の溶接ワイヤ収納容器。
【請求項３】
前記内筒の外面に、非透湿性樹脂又は難透湿性樹脂からなる樹脂層が設けられていることを特徴とする請求項２に記載の溶接ワイヤ収納容器。
【請求項４】
前記樹脂層は、ポリエチレン系樹脂、ポリエステル系樹脂、ナイロン系樹脂、ポリプロピレン系樹脂及びセロファン系樹脂からなる群から選択された２種以上の樹脂が積層されたものであることを特徴とする請求項１乃至３のいずれか１項に記載の溶接ワイヤ収納容器。
【請求項５】
前記樹脂層上には、更に、紙製のシートが積層されていることを特徴とする請求項１乃至４のいずれか１項に記載の溶接ワイヤ収納容器。
【請求項６】
前記防湿シートは、紙基材上に非透湿性樹脂若しくは難透湿性樹脂が積層されたラミネート紙、非透湿性樹脂若しくは難透湿性樹脂製のストレッチフィルム又は気化性防錆紙であることを特徴とする請求項１乃至５のいずれか１項に記載の溶接ワイヤ収納容器。
【請求項７】
請求項１乃至６のいずれか１項に記載の溶接ワイヤ収納容器内に溶接ワイヤのコイルが収納されていることを特徴とする容器入り溶接ワイヤ。
【発明の詳細な説明】
【技術分野】
【０００１】
本発明は、ソリッドワイヤ及びフラックス入りワイヤのいずれにも適用可能な溶接ワイヤ収納容器及び容器入り溶接ワイヤに関する。
【背景技術】
【０００２】
ソリッドワイヤ及びフラックス入りワイヤ等の溶接用ワイヤを収納する容器としては、一般に、有底筒状のペイル容器が使用されている。図３（ａ）は従来の溶接ワイヤ収納容器の一例を模式的に示す斜視図であり、図３（ｂ）はその断面図であり、図３（ｃ）はその押さえ板を示す斜視図である。図３（ａ）及び（ｂ）にその一例を示しているが、従来の溶接ワイヤ収納容器は、有底筒状の外筒１０１の内部に、外筒１０１より小径の内筒１０６が外筒１０１と同軸的に設けられている。この従来の溶接ワイヤ収納容器においては、溶接ワイヤ１００ａは、内筒１０６との間に若干の隙間が形成されるようにして、底板１０４上に円軌跡に沿って中心軸を移動変位させながら積層されて収納されている。
【０００３】
通常、容器入り溶接ワイヤは、容器に収納された状態で巻き解かれる。このため、巻き解きの際に、溶接ワイヤ１００ａが絡んだり、もつれたりすることがある。そこで、従来の容器入り溶接ワイヤにおいては、図３（ｃ）に示すような環状の押さえ板１０２を、溶接ワイヤコイル１００上に載置し、この押さえ板１０２で溶接ワイヤコイル１００を下方に押圧することにより、巻き解かれたワイヤがはね上がり、相互に絡み合うことを防止している。従来の溶接ワイヤ収納容器における押さえ板１０２は、外径が外筒１０１の内径よりも僅かに小さく、内径は内筒１０６の外径よりも僅かに大きくなっており、溶接ワイヤ１００ａは内筒１０６と押さえ板１０２との間の隙間から巻き解かれる。なお、押さえ板１０２は、外筒１０１の内面に沿って上下方向に移動可能であるため、溶接ワイヤ１００ａが巻き解かれることによって、溶接ワイヤコイル１００の高さが変化しても、押さえ板１０２は常に溶接ワイヤコイル１００の上に載置されている。
【０００４】
また、従来の溶接ワイヤ収納容器においては、押さえ板１０２と外筒１０１との間の隙間から溶接ワイヤが飛び出すことを防止するため、例えば、押さえ板１０２及び溶接ワイヤコイル１００と外筒１０１との間に複数のひも１０５が配置されている。更に、押さえ板１０２上には、断面が円形のリング１０３が外筒１０１と同軸的に載置されている。このリング１０３は、ひも１０５と外筒１０１との間に配置され、ひも１０５を介して押さえ板１０２上に保持されているため、押さえ板１０２に追従して移動する。更にまた、外筒１０１の内面上部には、溶接ワイヤ１００ａの巻回始端、即ち、溶接ワイヤ１００ａの巻き解き終端を係止する複数個のクランプ１０７が設けられている。そして、この巻き解き終端と、次に巻き解く容器入り溶接ワイヤの巻き解き始端とを繋ぐことにより、複数の容器入り溶接ワイヤが連続して巻き解かれる。
【０００５】
更に、従来の溶接ワイヤ収納容器には、内筒１０６が設けられていないものもある。図４（ａ）は内筒がない従来の溶接ワイヤ収納容器を模式的に示す断面図であり、図４（ｂ）はその押さえ板を示す斜視図である。この溶接ワイヤ収納容器には、ひも及びリングが設けられておらず、その代わりに、図４（ｂ）に示すように、押さえ板１１２の外周部に複数のスポンジ製の弾性部材１１２ａが接着剤で接合されている。そして、図４（ａ）に示すように、外筒１０１の内部に内筒が設けられていない溶接ワイヤ収納容器を使用する場合、溶接ワイヤ１００ａは押さえ板１１２に設けられた引き出し孔に沿って引き出される。その際、押さえ板１１２に接合された弾性部材１１２ａを外筒１０１の内面に接触させることにより、ワイヤ１００ａが外筒１０１の内面と押さえ板１１２の隙間から飛び出すことを防止する。
【０００６】
近時、返送が不要であり、リサイクル性が優れている等の理由から、外筒１０１及び内筒１０６を段ボール等の紙により形成した紙製のペイル容器が使用されている。しかしながら、紙製のペイル容器は、外部から水分及び湿気が浸入しやすいため、保管時に溶接ワイヤが酸化したり、発錆したりすることがある。そこで、外筒１０１の表面に樹脂層を形成することにより、容器内への水分及び湿気の浸入防止を図ったペイル容器が提案されている（例えば、特許文献１乃至３参照。）特許文献１及び２に記載の紙製ペイル容器は、その表面にポリエチレン、アクリル樹脂、ウレタン樹脂、スチレン樹脂、ポリイソシアネート等の耐水性のある熱可塑性樹脂層が設けられている。
【０００７】
また、特許文献３に記載の紙製ペイル容器は、外筒１０１の外面が透湿・撥水性物質で被覆され、外筒１０１の内面及び底部が非透湿性又は難透湿性物質で被覆されている。これにより、容器外面は水をはじくため機械的性質の低下を防止することができると共に、湿気は通過するため紙が過乾燥状態になることを抑制して機械的性質を適切に保つことができる。一方、容器内面及び底部は非透湿性又は難透湿性であるため、容器内部への水分及び湿気の浸入を防止することができる。
【０００８】
【特許文献１】特開平７−１７２４３５号公報
【特許文献２】特開２０００−６２８８号公報
【特許文献３】特許第３０８８１８８号公報
【発明の開示】
【発明が解決しようとする課題】
【０００９】
しかしながら、前述の従来の技術には以下に示す問題点がある。前述の特許文献１乃至３に記載の紙製ペイル容器は、外部からの湿気の浸入防止には効果があるが、それでもなお保管中の溶接コイルの酸化及び発錆を完全になくすことができないという問題点がある。この問題点は、保管場所の温度が大きく変化する等のように、保管環境が厳しい場合に特に顕著である。
【００１０】
本発明はかかる問題点に鑑みてなされたものであって、容器内への水分及び湿気の浸入を防止すると共に、厳しい環境下でも溶接ワイヤを長期間保管することができる溶接ワイヤ収納容器及び容器入り溶接ワイヤを提供することを目的とする。
【課題を解決するための手段】
【００１１】
本願第１発明に係る溶接ワイヤ収納容器は、溶接ワイヤのコイルを収納する有底筒状の溶接ワイヤ収納容器において、内面に非透湿性樹脂又は難透湿性樹脂からなる樹脂層が設けられた紙製の外筒と、前記溶接ワイヤコイル上に載置された環状の押さえ板と、を有し、前記押さえ板には、前記溶接ワイヤコイルの残量を確認するための複数の開口部が設けられており、少なくとも前記開口部を覆うように防湿シートが載置されていることを特徴とする。
【００１２】
本発明においては、外筒の内面に、非透湿性樹脂又は難透湿性樹脂からなる樹脂層を形成しているため、容器外からの水分及び湿気の浸入、並びに外筒を形成している紙に吸着していた水分の浸入を防止することができる。また、防湿シートで押さえ板の開口部を覆うことにより、溶接ワイヤが露出している部分がなくなるため、溶接ワイヤの表面で結露が生じることを防止することができる。これにより、溶接ワイヤを、変色、発錆及び酸化させることなく、長期間保管することができる。
【００１３】
また、前記溶接ワイヤ収納容器は、外筒の内部にこの外筒と同軸的に配置された紙製の内筒を設けることができる。その場合、内筒の外面に、前述の外筒の内面と同様に、非透湿性樹脂又は難透湿性樹脂からなる樹脂層を設けてもよい。これにより、内筒に吸着していた水分が容器内部に浸入することを防止できる。この樹脂層は、例えば、ポリエチレン系樹脂、ポリエル系樹脂、ナイロン系樹脂、ポリプロピレン系樹脂及びセロファン系樹脂からなる群から選択された２種以上の樹脂を積層することにより形成することができる。また、前記樹脂層上に、紙製のシートを積層してもよい。これにより、防湿効果を低下させることなく、樹脂層の剥離等のワイヤと樹脂層との接触により生じる問題を防止することができると共に、製造直後の高温のワイヤを収納したときに、樹脂層が溶解してワイヤに付着することを防止することができる。
【００１４】
更に、前記防湿シートとしては、紙基材上に非透湿性樹脂若しくは難透湿性樹脂が積層されたラミネート紙、非透湿性樹脂若しくは難透湿性樹脂製のストレッチフィルム、又は気化性防錆紙を使用することができる。
【００１５】
本願第２発明に係る容器入り溶接ワイヤは、前述の溶接ワイヤ収納容器内に溶接ワイヤのコイルが収納されていることを特徴とする。
【発明の効果】
【００１６】
本発明によれば、外筒の内面に非透湿性樹脂又は難透湿性樹脂からなる樹脂層を設けることにより、容器内部への水分及び湿気の浸入を防止することができると共に、押さえ板の開口部を防湿シートにより覆うことにより、溶接ワイヤの表面で結露が生じることを防止することができるため、厳しい環境下でも溶接ワイヤを発錆及び酸化させることなく長期間保管することができる。
【発明を実施するための最良の形態】
【００１７】
以下、本発明の実施の形態に係る溶接ワイヤ収納容器について、添付の図面を参照して具体的に説明する。図１（ａ）は本実施形態の溶接ワイヤ収納容器を示す断面図であり、図１（ｂ）はその平面図である。図１（ａ）及び（ｂ）に示すように、本実施形態の溶接ワイヤ収納容器は、紙製の外筒１の下端部をかしめることにより、この容器の底を形成する紙製の底板４が固定されている。この底板４は外筒１のかしめ部に保持されている。更に、外筒１の内部には、外筒１よりも小径で紙製の内筒６が外筒１と同軸的に配置されており、内筒６の下端部は底板４上に固定されている。
【００１８】
本発明者等は、前述の課題を解決するために鋭意実験検討を行った結果、外筒１の内面に樹脂層を形成して外部から浸入する湿気を防いでも、ワイヤ収納後の容器内に形成される空間部に残存する湿気が発錆の原因になることを見出した。また、本発明者等は、温度及び湿度が上昇すると、露点温度が上昇して容器内が結露しやすい状態になることを見出した。特に、従来の溶接ワイヤ容器の押さえ板には、溶接ワイヤコイルの残量を確認するために複数の開口部が設けられているが、この開口部、即ち、溶接ワイヤが露出している押さえ板の開口部の部分で結露が生じやすく、この結露により生じた水滴により溶接ワイヤに点錆が発生することを見出した。
【００１９】
そこで、本実施形態の溶接ワイヤ収納容器においては、外筒１の内面、内筒６の外面及び底板４の上面に、非透湿性樹脂又は難透湿性樹脂からなる樹脂層９が形成されている。樹脂層９を形成する非透湿性樹脂又は難透湿性樹脂としては、例えば、ポリエチレン系樹脂、ポリエステル系樹脂、ナイロン系樹脂、ポリプロピレン系樹脂及びセロファン系樹脂等を使用することができ、樹脂層９はこれらの樹脂のうち２種類以上を積層したものであることが好ましい。これにより、防湿性をより向上させることができる。更に、本実施形態の溶接ワイヤ収納容器においては、樹脂層９上に紙製のシートを積層してもよい。これにより、溶接ワイヤ１０ａと樹脂層９とが接触して、樹脂層９が剥離する等のトラブルが発生することを防止できる。また、紙製のシートを積層することにより、溶接ワイヤ１０ａと樹脂層９とが直接接触しなくなるため、製造直後の高温の溶接ワイヤ１０ａを収納しても、樹脂層９が溶解して溶接ワイヤ１０ａに付着する虞がなくなる。
【００２０】
本実施形態の溶接ワイヤ収納容器においては、溶接ワイヤ１０ａは、内筒６の外面との間に若干の隙間ができるようにして、底板４上に円軌跡に沿って中心軸を移動変位させながらループ状に積層される。そして、本実施形態の溶接ワイヤ収納容器は、このループ状に収納された溶接ワイヤコイル１０の上に載置され、溶接ワイヤコイルを下方に押圧する押さえ板２を備えている。この押さえ板２には、巻き解き時に溶接ワイヤコイル１０の残量を確認するための複数の開口部２ａが設けられている。
【００２１】
更に、本実施形態の溶接ワイヤ収納容器の外筒１の内側面には、押さえ板２と外筒１との間に隙間が生じることを防止し、巻き解き時に溶接ワイヤコイル１０の外周側から溶接ワイヤが飛び出すことを防ぐために、外筒１の長手方向、即ち、溶接ワイヤコイル１０の高さ方向に延びる複数本のひも５が取り付けされている。このひも５は、溶接ワイヤコイル１０及び押さえ板２と外筒１との間に配置されている。
【００２２】
更にまた、本実施形態の溶接ワイヤ収納容器は、縦断面が円形で、ひも５と外筒１との間に外筒１と同軸的に配置されるリング３を備えている。このリング３はひも５を介して押さえ板２の上面に保持され、押さえ板２に追従して移動する。
【００２３】
更にまた、本実施形態の溶接ワイヤ収納容器は、押さえ板２の開口部を覆う防湿シート８を備えている。図２（ａ）及び（ｂ）は防湿シートの形状を示す模式図である。防湿シート８の形状としては、例えば、図２（ａ）に示すように、正方形の中心から４隅に向かって切り込みをいれた形状、又は、図２（ｂ）に示すような円環形状等があげられるが、本発明はこれらに限定されるものではなく、押さえ板２上に載置することにより、その開口部２ａを覆うことができる形状であればよい。また、この防湿シート８の材質としては、例えば、紙基材の少なくとも一方の面に前述の非透湿性樹脂又は難透湿性樹脂からなる樹脂層が形成されているラミネート紙、前述の非透湿性樹脂又は難透湿性樹脂からなるストレッチフィルム及び気化性防錆紙等を使用することができる。なお、ラミネート紙を使用する際は、樹脂層が形成されている面を押さえ板２側にすることが好ましい。
【００２４】
このように、本実施形態の溶接ワイヤ収納容器においては、押さえ板２の開口部２ａを覆う防湿シート８を備えているため、運搬及び保管時に容器内の温度及び湿度が上昇しても、溶接ワイヤコイル１０付近は湿気が浸入しにくく、結露しにくい。また、仮に、容器内で結露が生じた場合でも、溶接ワイヤコイル１０に水滴が付着することを防止することができる。その結果、溶接ワイヤを発錆及び酸化させることなく長期間保管することができる。
【００２５】
次に、上述の如く構成された本実施形態の溶接ワイヤ収納容器の動作、即ち、溶接ワイヤを容器に収納する方法及び容器入り溶接ワイヤを巻き解く方法について説明する。先ず、溶接ワイヤを容器に収納する際は、底板４上に下方から上方に向かって円軌道に沿って中心軸を移動変位させながら積層される。そして、積層された溶接ワイヤコイル１０上には押さえ板２が載置され、更に、その上にはひも５を介してリング３が載置されると共に、開口部２ａを覆うように防湿シート８が載置される。これにより、開口部２ａ部分で結露が生じることを防止でき、更に、容器内で結露が生じた場合でも、溶接ワイヤコイルに水分が付着することを防止できる。このため、本実施形態の容器入り溶接ワイヤは、保管及び運搬時に酸化したり、発錆したりすることがなく、長期間保存することができる。
【００２６】
また、上述の方法で収納された容器入り溶接ワイヤを運搬及び保管する際は、外筒１の上端部に蓋（図示せず）が被せられる。その際、押さえ板２と蓋との間には、紙製のスペーサ（図示せず）が配置される。そして、押さえ板２、リング３及びスペーサにより溶接ワイヤコイル１０を下方に押圧する。本実施形態の溶接ワイヤ収納容器において使用されるスペーサとしては、例えば、内部に１又は複数本のひも又は帯状の弾性部材が張られている角筒内に、この角筒よりも小径の角筒が挿入され、この小径の角筒が大径の角筒から突出している構成のものが使用される。このスペーサは、小径の角筒の下端部が大径の角筒内に張られた弾性部材に保持されているため、小径の角筒が突出している高さを、蓋と押さえ板２との距離に応じて変化させることができる。このため、移動時の振動等によりワイヤの巻きがきつくなり、溶接ワイヤコイルの高さが低くなっても、溶接ワイヤコイルを下方に押圧することができ、移動時の振動によって溶接ワイヤコイルがほどけて、巻き解き時に絡み及びもつれが生じることを防止することができる。
【００２７】
一方、溶接ワイヤ１０ａを巻き解く際は、蓋、スペーサ及び防湿シート８が取り除かれた後、内筒６と押さえ板２との間から巻回時のワイヤ終端が引出され、この部分を巻き解き始端として溶接ワイヤコイル１０の上層から下層に向かって巻き解かれる。このとき、押さえ板２及びリング３は、溶接ワイヤコイル１０の高さが低下するに従い下方に移動する。
【００２８】
このように、本実施形態の容器入り溶接ワイヤは、外筒１の内面、内筒６の外面、底板７又は緩衝板４の上面には、非透湿性樹脂又は難透湿性樹脂からなる樹脂層９が形成されているため、外部からの水分及び湿気の浸入を防止することができると共に、外筒１、内筒６及び底板７等を構成する紙に吸着している水分が容器内に入り込むことを防止することができる。また、運搬及び保管時には、押さえ板２上に開口部２ａを覆うように防湿シート８が載置されるため、溶接ワイヤコイル１０の表面で結露が生じることを防止することができると共に、容器内部での結露が生じた場合でも、水滴が溶接ワイヤコイル１０に付着することを防止できる。その結果、酸化及び発錆することなく、長期間保管することができる。
【００２９】
なお、本実施形態の溶接ワイヤ収納容器には内筒６が設けられているが、本発明はこれに限定されるものではなく、内筒６が設けられていなくてもよい。但し、内筒６が設けられていると、溶接ワイヤコイル１０の内周側の溶接ワイヤ１０ａが、溶接ワイヤコイル１０の内周側に生じる円筒状の空洞部に残存する水分の影響を直接受けなくすることができるため、より好ましい。
【実施例】
【００３０】
以下、本発明の実施例の効果について、本発明の範囲から外れる比較例と比較して説明する。本発明の実施例１として前述の実施形態と同様の方法及び構成で、防湿シート８に気化性防錆紙を使用した容器入り溶接ワイヤを作製した。また、本発明の実施例２として、前述の実施形態と同様の方法で、防湿シート８に一方の面にポリエチレンがラミネートされたラミネート紙を使用した容器入り溶接ワイヤを作製した。なお、実施例２の容器入り溶接ワイヤにおいては、ポリエチレンがラミネートされている面を下面、即ち、押さえ板２側にした。更に、本発明の実施例３として、防湿シート８にポリエチレン製のストレッチフィルムを使用した容器入り溶接ワイヤを作製した。更にまた、本発明の比較例として、防湿シートがない従来の容器入り溶接ワイヤを作製した。なお、前述の実施例１乃至３及び比較例１の容器入り溶接ワイヤにおいては、外筒１の内側、内筒６の外面及び底板４の上面に、ポリエチレン（polyethylene：ＰＥ）樹脂とポリエチレンテレフタラート（polyethylene terephthalate：ＰＥＴ）樹脂とを積層した２層構造のフィルムを加熱融着して、これらの表面に樹脂層９を形成した。このとき、ポリエステル系樹脂が外側、即ち、溶接ワイヤ１０ａ側になるようにした。この２層構造のフィルムにおける各樹脂層の厚さは、例えば、ＰＥ樹脂層が２５μｍでＰＥＴ樹脂層が２０μｍである。
【００３１】
次に、これらの容器入り溶接ワイヤの容器上部に、温度及び湿度を測定する装置を取り付けた後、段ボール性のスペーサを配置し、その上部をスチール製の蓋で密閉した。そして、直射日光が当たる屋外に１０日間放置して、溶接ワイヤの発錆状況を調べた。その結果を下記表１に示す。
【００３２】
【表１】
2005247455.tif 000003
【００３３】
上記表１に示すように、比較例の容器入り溶接ワイヤは、押さえ板の開口部の部分の溶接ワイヤに錆が発生していた。一方、実施例１乃至３の容器入り溶接ワイヤには、錆は発生していなかった。
【００３４】
次に、本発明の実施例４として、外筒１の内側、内筒６の外面及び底板４の上面に、ポリプロピレン（polypropylene：ＰＰ）樹脂を５０μｍ、ＰＥＴ樹脂を１２μｍ積層した２層構造のフィルムを、ＰＥＴ樹脂を外側にして加熱融着し、これらの表面に樹脂層９を形成した。そして、この樹脂層９上に厚さが１００μｍの紙シートを積層し、それ以外の構成は前述の実施例２と同様にして、容器入り溶接ワイヤを作製した。この実施例４の容器入り溶接ワイヤについて、前述の実施例１乃至３及び比較例１と同様の方法で、溶接ワイヤの発錆状況を調べたところ、屋外に１０日間放置しても収納されている溶接ワイヤに錆は発生していなかった。
【図面の簡単な説明】
【００３５】
【図１】（ａ）は本実施形態の溶接ワイヤ収納容器を示す断面図であり、（ｂ）はその平面図である。
【図２】（ａ）及び（ｂ）は防湿シートの形状を示す模式図である。
【図３】（ａ）は従来の溶接ワイヤ収納容器の一例を模式的に示す斜視図であり、（ｂ）はその断面図であり、（ｃ）はその押さえ板を示す斜視図である。
【図４】（ａ）は内筒がない従来の溶接ワイヤ収納容器を模式的に示す断面図であり、（ｂ）はその押さえ板を示す斜視図である。
【符号の説明】
【００３６】
１、１０１；外筒
２、１２、１０２、１１２；押さえ板
２ａ；開口部
３，１０３；リング
４、１０４；底板
５、１０５；ひも
６、１０６；内筒
８；防湿シート
９；樹脂層
１０、１００；溶接ワイヤコイル
１０ａ、１００ａ；溶接ワイヤ
１０７；クランプ
１１２ａ；弾性部材
【図１】
2005247455.tif 000004
【図２】
2005247455.tif 000005
【図３】
2005247455.tif 000006
【図４】
2005247455.tif 000007